(57)【要約】【課題】ニップ幅の調整作業を容易化できるオフセット印刷機を提供すること。【解決手段】このオフセット印刷機１は、複数のインキローラを介して版胴にインキを供給するインキ供給部と、隣り合うインキローラ間のニップ幅を調整するニップ調整部３５とを有する。そして、ニップ調整部３５が、一方のインキローラの軸受に嵌め合わされる偏心輪３５１と、偏心輪３５１を回転可能に支持すると共に他方のインキローラ３１４の軸受３１５に連結されるレバー３５２と、偏心輪３５１をレバー３５２に対して回転させるウォームギア３５３とを含む。【選択図】        図３
2007268769.tif 000002
【特許請求の範囲】
【請求項１】
複数のインキローラを介して版胴にインキを供給するインキ供給部と、隣り合う前記インキローラ間のニップ幅を調整するニップ調整部とを有するオフセット印刷機であって、
前記ニップ調整部が、一方の前記インキローラの回転軸の位置を規制する偏心輪と、前記偏心輪を回転可能に支持すると共に他方の前記インキローラの軸受に連結されるレバーと、前記偏心輪を前記レバーに対して回転させるウォームギアとを含むことを特徴とするオフセット印刷機。
【請求項２】
複数のインキローラを介して版胴にインキを供給するインキ供給部と、前記インキローラおよび前記版胴間のニップ幅を調整するニップ調整部とを有するオフセット印刷機であって、
前記ニップ調整部が、前記インキローラの回転軸の位置を規制する偏心輪と、前記偏心輪を回転可能に支持すると共に前記版胴の回転軸に対する位置関係を規制されて配置されるレバーと、前記偏心輪を前記レバーに対して回転させるウォームギアとを含むことを特徴とするオフセット印刷機。
【請求項３】
前記ウォームギアを覆うウォームカバーが設けられる請求項１または２に記載のオフセット印刷機。
【請求項４】
前記レバーが前記ウォームカバーを兼ねる請求項３に記載のオフセット印刷機。
【請求項５】
前記レバーが前記ウォームギアのブラケットを兼ねる請求項１〜４のいずれか一つに記載のオフセット印刷機。
【請求項６】
前記ウォームギアがモータにより駆動される請求項１〜５のいずれか一つに記載のオフセット印刷機。
【請求項７】
前記ウォームギアの回転量を示す目盛りが前記ウォームギアの操作部に設けられる請求項１〜６のいずれか一つに記載のオフセット印刷機。
【請求項８】
前記ウォームギアの回転量が規定量となったことを知らせる報知機構を有する請求項１〜７のいずれか一つに記載のオフセット印刷機。
【請求項９】
前記偏心輪が、前記ウォームギアに噛み合わされるギア溝と、前記レバーに対する摺動面とを略同一面上に有する請求項１〜８のいずれか一つに記載のオフセット印刷機。
【発明の詳細な説明】
【技術分野】
【０００１】
この発明は、オフセット印刷機に関し、さらに詳しくは、ニップ幅の調整作業を容易化できるオフセット印刷機に関する。
【背景技術】
【０００２】
オフセット印刷機では、印刷の品質を向上させるために、印刷部の隣り合うインキローラ間ならびにインキ着ローラおよび版胴間のニップ幅が適正化される。このため、印刷部には、ニップ幅を調整するためのニップ調整部が配置される。
【０００３】
かかるニップ調整部を有する従来のオフセット印刷機には、特許文献１に記載される技術が知られている。従来のオフセット印刷機（印刷機のインキ装置）は、着けローラを版胴に対して着脱自在に支持する第１レバーと、版胴側に支持された版胴追従カムに接するカムフォロアを支持すると共にルラ上げカムにより前記着けローラを前記版胴から離間させるように移動する第２レバーと、前記着けローラを前記版胴に対して押圧する付勢手段と、前記第１及び第２レバーの相対位置を操作部によって調節し得る調節手段と、を設けたことを特徴とする（たとえば、特許文献１）。
【０００４】
【特許文献１】特開平１１−１０５２６２号公報
【発明の開示】
【発明が解決しようとする課題】
【０００５】
しかしながら、上記の技術は、調整に必要な部品点数が多く、調整の際に必要となる調整トルクも大きく、調整後にニップ幅の調整作業の容易化という観点からは不十分であった。そこで、この発明は、ニップ幅の調整作業を容易化できるオフセット印刷機を提供することを目的とする。
【課題を解決するための手段】
【０００６】
上記目的を達成するため、この発明にかかるオフセット印刷機は、複数のインキローラを介して版胴にインキを供給するインキ供給部と、隣り合う前記インキローラ間のニップ幅を調整するニップ調整部とを有するオフセット印刷機であって、前記ニップ調整部が、一方の前記インキローラの回転軸の位置を規制する偏心輪と、前記偏心輪を回転可能に支持すると共に他方の前記インキローラの軸受に連結されるレバーと、前記偏心輪を前記レバーに対して回転させるウォームギアとを含むことを特徴とする。
【０００７】
このオフセット印刷機では、ニップ調整部がウォームギアを有し、このウォームギアの駆動により偏心輪が回転して、隣り合うインキローラ間のニップ幅が調整される。したがって、作業員が工具を用いて調整ネジを回転させるなどして偏心輪を回動させてニップ幅を調整する構成と比較して、ウォームギアにより偏心輪を回転させるためのトルクが低減される。これにより、作業員の労力が低減されるので、ニップ幅の調整作業が容易化される利点がある。
【０００８】
また、この発明にかかるオフセット印刷機は、複数のインキローラを介して版胴にインキを供給するインキ供給部と、前記インキローラおよび前記版胴間のニップ幅を調整するニップ調整部とを有するオフセット印刷機であって、前記ニップ調整部が、前記インキローラの回転軸の位置を規制する偏心輪と、前記偏心輪を回転可能に支持すると共に前記版胴の回転軸に対する位置関係を規制されて配置されるレバーと、前記偏心輪を前記レバーに対して回転させるウォームギアとを含むことを特徴とする。
【０００９】
このオフセット印刷機では、ニップ調整部がウォームギアを有し、このウォームギアの駆動により偏心輪が回転して、インキローラおよび版胴間のニップ幅が調整される。したがって、作業員が工具を用いて調整ネジを回転させるなどして偏心輪を回動させてニップ幅を調整する構成と比較して、ウォームギアにより偏心輪を回転させるためのトルクが低減される。これにより、作業員の労力が低減されるので、ニップ幅の調整作業が容易化される利点がある。
【００１０】
また、この発明にかかるオフセット印刷機は、前記ウォームギアを覆うウォームカバーが設けられる。
【００１１】
このオフセット印刷機では、ウォームカバーにより略密閉空間が形成されるので、粉塵やインキローラから揮発したインキミストがウォームギアに固着し難い。これにより、ウォームギアの動作不良が抑止される利点がある。
【００１２】
また、この発明にかかるオフセット印刷機は、前記レバーが前記ウォームカバーを兼ねる。
【００１３】
このオフセット印刷機では、レバーがウォームカバーを兼ねるので、これらが別個に配置される構成と比較して、部品点数が低減される利点がある。
【００１４】
また、この発明にかかるオフセット印刷機は、前記レバーが前記ウォームギアのブラケットを兼ねる。
【００１５】
このオフセット印刷機では、ブラケットとなるレバーが高い剛性を有するので、ニップ幅の調整時におけるウォームギアの回転トルクによりブラケットが変形する事態が抑止される。これにより、ニップ幅の調整不良が低減される利点がある。
【００１６】
また、この発明にかかるオフセット印刷機は、前記ウォームギアがモータにより駆動される。
【００１７】
このオフセット印刷機では、モータを介してウォームギアを遠隔操作できるので、ニップ幅の調整作業が容易化される利点がある。
【００１８】
また、この発明にかかるオフセット印刷機は、前記ウォームギアの回転量を示す目盛りが前記ウォームギアの操作部に設けられる。
【００１９】
このオフセット印刷機では、ウォームギアに設けられた目盛りにより、ウォームギアの回転量が容易に把握されるので、ニップ幅の調整作業が容易化される利点がある。
【００２０】
また、この発明にかかるオフセット印刷機は、前記ウォームギアの回転量が規定量となったことを知らせる報知機構が設けられる。
【００２１】
このオフセット印刷機では、ウォームギアの回転量が規定量となったことを知らせる報知機構を備えることにより、ウォームギアの回転量が容易に把握されるので、ニップ幅の調整作業が容易化される利点がある。
【００２２】
また、この発明にかかるオフセット印刷機は、前記偏心輪が、前記ウォームギアに噛み合わされるギア溝と、前記レバーに対する摺動面とを略同一面上に有する。
【００２３】
このオフセット印刷機では、偏心輪のギア溝と、偏心輪およびレバー間の摺動面とが略同一面上に配置されるので、ウォームギアの回転と偏心輪の回転との伝達性が向上する。これにより、ニップ幅の調整精度が向上する利点がある。
【発明の効果】
【００２４】
この発明にかかるオフセット印刷機では、ニップ調整部がウォームギアを有し、このウォームギアの駆動により偏心輪が回転して、隣り合うインキローラ間のニップ幅が調整される。したがって、作業員が工具を用いて調整ネジを回転させるなどして偏心輪を回動させてニップ幅を調整する構成と比較して、ウォームギアにより偏心輪を回転させるためのトルクが低減される。これにより、作業員の労力が低減されるので、ニップ幅の調整作業が容易化される利点がある。
【発明を実施するための最良の形態】
【００２５】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００２６】
図１は、この発明の実施例にかかるオフセット印刷機を示す構成図である。図２は、図１に記載したオフセット印刷機の印刷部を示す模式図である。図３〜図６は、図２に記載した印刷部の軸受連結部を示す正面図（図３）、側面図（図４）、背面図（図５）およびＡ−Ａ視断面図（図６）である。図７および図８は、図２に記載した軸受連結部の偏心輪とウォームギアとの位置関係を示す説明図である。図９〜図１１は、図２に記載した印刷部の軸受連結部を示す斜視図である。
【００２７】
［オフセット印刷機］
このオフセット印刷機１は、一例として枚葉印刷機を示したが、給紙部２と、複数の印刷部３と、排紙部４とを有する（図１参照）。給紙部２は、セットされた紙（枚葉紙）を繰り出して印刷部３に供給する。複数の印刷部３は、版胴３２、ブランケット胴３３、圧胴３４を有し、供給された紙にオフセット印刷する。これらの印刷部３は、例えばカラー印刷用の印刷機であれば、Ｙ、Ｍ、Ｃ、Ｋの各印刷色に対応した４つのユニットが連結された構成となっており、紙は圧胴３４及び中間胴やチェーングリッパなどにより給紙部２から排紙部４へ搬送されることで、排紙部４は、印刷部３にて印刷された紙を積層状態に積み上げる。
【００２８】
また、印刷部３は、版胴３２にインクを供給するための複数のローラからなるインキ供給部３１や湿し水を供給する水ローラ群を有する（図２参照）。より詳細には、このインキ供給部３１は、インキ壺３１１、中間インキローラ群３１２、複数のインキ往復ローラ３１３および複数のインキ着ローラ３１４を有する。インキ供給部３１では、インキ壺３１１内のインキが中間インキローラ群３１２、各インキ往復ローラ３１３およびインキ着ローラ３１４を順次転移して適度に練られて版胴３２に供給される。版胴３２には、印刷画像の版が装着される。ブランケット胴３３は、印刷画像を版胴３２から紙に転写する。圧胴３４は、紙をブランケット胴３３に押し当てる。この印刷部３では、紙が搬送されてブランケット胴３３および圧胴３４間を通過することにより、紙に印刷画像が転写される。
【００２９】
［ニップ調整部］
ここで、印刷部３では、印刷の品質を向上させるために、隣り合うインキローラ３１２〜３１４間ならびにインキ着ローラ３１４および版胴３２間のニップ幅が適正化される。このため、印刷部３は、かかるニップ幅を調整するために複数のニップ調整部３５、３６を有する。この実施例では、インキ往復ローラ３１３およびインキ着ローラ３１４間のニップ幅を調整するニップ調整部３５、ならびに、インキ着ローラ３１４および版胴３２間のニップ幅を調整するニップ調整部３６について説明する（図３〜図６および図９〜図１１参照）。なお、ここでの印刷部３は、一つのインキ往復ローラ３１３と一対のインキ着ローラ３１４、３１４とが一つの軸受連結部（インキ着軸受）３７を介して連結されるものとしている。インキ往復ローラ３１３の周囲にインキ着ローラ３１４が３つある場合は、ここに説明する２つある場合に対してニップ調整部３５、３６が一対増えたものとして類推することができる。
【００３０】
まず、インキ往復ローラ３１３およびインキ着ローラ３１４間のニップ調整部３５は、偏心輪３５１と、レバー３５２と、ウォームギア３５３とにより構成される（図３〜図６、図９〜１１参照）。偏心輪３５１は、その内周円と外周円とが偏心する環状部材である（図７および図８参照）。この偏心輪３５１には、インキ往復ローラ３１３の軸受（図示省略）が挿入されて嵌め合わされる（あるいは偏心輪３５１自体がインキ往復ローラ３１３の軸受を構成する）。レバー３５２は、一方の端部にて偏心輪３５１を回転可能に支持する。具体的には、レバー３５２に孔が開けられ、この孔内にて偏心輪３５１がカムローラ（図示省略）を介して回転可能に支持される。また、レバー３５２は、他方の端部にてインキ着ローラ３１４の軸受３１５に連結（ピン結合）される。具体的には、レバー３５２の他方の端部に孔が開けられ、この孔にインキ着ローラ３１４の軸受３１５が挿入されて支持される。ウォームギア３５３は、偏心輪３５１をレバー３５２に対して回転させるためのギアである。このウォームギア３５３は、偏心輪３５１の外周に形成されたギア溝３５３１に噛み合わされて配置される（図７および図８参照）。なお、ウォームギア３５３は、六角レンチを差し込むための穴Ｃを有する。
【００３１】
インキ往復ローラ３１３およびインキ着ローラ３１４間のニップ幅の調整時には、作業員がウォームギア３５３の穴に六角レンチを差し込んでウォームギア３５３を回転させる。すると、レバー３５２内にて偏心輪３５１が回転して、インキ往復ローラ３１３の回転軸がレバー３５２に対して変位する。これにより、インキ往復ローラ３１３の回転軸とインキ着ローラ３１４の回転軸との距離が変化して、ニップ幅が調整される。
【００３２】
一方、インキ着ローラ３１４および版胴３２間のニップ調整部３６は、上記のニップ調整部３５と略同一の構成を有する（図３〜図６参照）。ここでは、インキ着ローラ３１４および版胴３２間のニップ調整部３６について、上記のニップ調整部３５との相異点を中心に簡略に説明する。
【００３３】
このニップ調整部３６は、偏心輪３６１と、レバー３６２と、ウォームギア３６３とにより構成される。偏心輪３６１は、インキ着ローラ３１４の軸受３１５に嵌め合わされて設置される。レバー３６２は、この偏心輪３６１を一方の端部にてカムローラ（図示省略）を介して回転可能に支持する。これにより、このレバー３６２と上記のレバー３５２とがインキ着ローラ３１４の軸受３１５（および偏心輪３６１）を介して連結される。また、このレバー３６２は、他方の端部にて軸用止め輪３１６に連結（ピン結合）され、この軸用止め輪３１６を介して版胴３２の回転軸との位置関係を規制される。ウォームギア３６３は、偏心輪３６１をレバー３６２に対して回転させるためのギアである。このウォームギア３６３は、六角レンチを差し込むための穴Ｃを有する。
【００３４】
インキ着ローラ３１４および版胴３２間のニップ幅の調整時には、作業員がウォームギア３６３の穴に六角レンチを差し込んでウォームギア３６３を回転させる。すると、レバー３６２内にて偏心輪３６１が回転して、インキ着ローラ３１４の回転軸がレバー３６２に対して変位する。これにより、インキ着ローラ３１４の回転軸と版胴３２の回転軸との距離が変化して、ニップ幅が調整される。
【００３５】
このオフセット印刷機１では、ニップ調整部３５（３６）がウォームギア３５３（３６３）を有し、このウォームギア３５３（３６３）の駆動により偏心輪３５１（３６１）が回転して、隣り合うインキローラ（インキ往復ローラ３１３およびインキ着ローラ３１４）間のニップ幅あるいは隣り合うインキローラ（インキ着ローラ３１４）および版胴３２間のニップ幅が調整される。したがって、作業員が工具を用いて調整ネジを回転させるなどして偏心輪を回動させてニップ幅を調整する構成と比較して、ウォームギア３５３（３６３）により偏心輪３５１（３６１）を回転させるためのトルクが低減される。これにより、作業員の労力が低減されるので、ニップ幅の調整作業が容易化される利点がある。
【００３６】
また、かかる構成では、偏心輪３５１（３６１）の回転がウォームギア３５３（３６３）により減速される。このため、作業員が工具を用いて調整ネジを回転させるなどして間接的に偏心輪を回動させる構成と比較して、偏心輪３５１（３６１）の回転量の調整が容易となる。これにより、ニップ幅の微調整が可能となるので、ニップ幅の調整作業が容易化される利点がある。
【００３７】
また、かかる構成では、偏心輪３５１（３６１）がウォームギア３５３（３６３）によりセルフロックされるので、その誤動作が防止される。このため、通常時にて偏心輪が止めネジにより固定されている構成と比較して、この止めネジが省略されて部品点数が低減される利点がある。また、ニップ調整時にて止めネジを緩める作業および締める作業が省略されるので、ニップ幅の調整作業が容易化され、また、その作業時間が短縮化される利点がある。
【００３８】
なお、このオフセット印刷機１では、ウォームギア３５３（３６３）を覆うウォームカバー（レバー３５２、３６２）が設けられることが好ましい（図３〜図６参照）。すなわち、ウォームギア３５３（３６３）がウォームカバーに覆われた空間（ウォームハウジング）内に収容されることが好ましい。かかる構成では、ウォームカバーにより略密閉空間が形成されるので、（１）粉塵やインキローラから揮発したインキミストがウォームギア３５３（３６３）に固着し難い。これにより、ウォームギア３５３（３６３）の動作不良が抑止される利点がある。また、このウォームカバーによりウォームギア３５３（３６３）の摺動部が覆われるので、摺胴部に供給されたグリースの揮発が抑制される利点がある。
【００３９】
また、上記の構成では、レバー３５２（３６２）がウォームカバーを兼ねることが好ましい（図３〜図６参照）。例えば、レバー３５２（３６２）内にウォームギア３５３（３６３）が収容される構成や、レバー３５２（３６２）にウォームカバーが一体形成される構成が採用される。この実施例では、レバー３５２（３６２）のショルダー部にウォームギア３５３（３６３）を収容するためのスペースが形成され、このスペース内にてウォームギア３５３（３６３）が偏心輪３５１（３６１）のギア溝３５３１に噛み合わされる。
【００４０】
かかる構成では、（１）レバー３５２（３６２）がウォームカバーを兼ねるので、これらが別個に配置される構成（図示省略）と比較して、部品点数が低減される利点がある。また、（２）高い剛性を有するレバー３５２（３６２）によりウォームギア３５３（３６３）が保持されるので、ウォームギアが安定的に保持される。これにより、ウォームギア３５３（３６３）の回転が安定して、ニップ幅の調整精度が向上する利点がある。また、（３）例えば、ウォームギア３５３（３６３）をレバー３５２（３６２）内に保持するための止めネジ３５５（３６５）が設けられる構成（図３〜図５参照）では、この止めネジ３５５（３６５）がレバー３５２（３６２）に対して螺合される。このとき、レバー３５２（３６２）が高い剛性を有するので、止めネジ３５５（３６５）の設置が容易となり、また、ウォームギア３５３（３６３）がレバー３５２（３６２）内にしっかりと保持される利点がある。
【００４１】
また、このオフセット印刷機１では、レバー３５２（３６２）がウォームギア３５３（３６３）のブラケットを兼ねる構造としても良い（図示省略）。すなわち、孔にウォームが刻まれ、ウォームギア３５３（３６３）のスクリューを保持するためのブラケットがレバー３５２（３６２）により構成となる。かかる構成では、（１）ブラケットとなるレバー３５２（３６２）が高い剛性を有するので、ニップ幅の調整時におけるウォームギア３５３（３６３）の回転トルクによりブラケットが変形する事態が抑止される。これにより、ニップ幅の調整不良が低減される利点がある。
【００４２】
また、このオフセット印刷機１では、ウォームギア３５３（３６３）がモータにより駆動される制御構成も採用し得る（図示省略）。この制御構成を採用した場合には、モータを介してウォームギア３５３（３６３）を遠隔操作できるので、ニップ幅の調整作業が容易化される利点がある。なお、かかる構成では、剛性の高いレバー３５２（３６２）によりモータの取付台座が構成されることが好ましい。これにより、モータが安定的に保持される利点がある。
【００４３】
また、このオフセット印刷機１では、インキ往復ローラ３１３およびインキ着ローラ３１４間のニップ調整部３５のウォームギア３５３と、インキ着ローラ３１４および版胴３２間のニップ調整部３６のウォームギア３６３とが規格化された共通部品により構成されても良い。共通部品により構成した場合には、製品のコストダウンが可能となる利点がある。なお、かかる構成では、偏心輪３５１（３６１）がウォームギア３５３（３６３）により適正に駆動されるように、ウォームギア３５３（３６３）の設置位置や傾斜角度が調整される。
【００４４】
また、このオフセット印刷機１では、ウォームギア３５３（３６３）の回転量（回転角）を示す目盛りがウォームギア３５３（３６３）の操作部に設けられることが好ましい（図示省略）。これにより、ウォームギア３５３（３６３）の回転量が容易に把握されるので、ニップ幅の調整作業が容易化される利点がある。この目盛りは、例えば、ウォームギア３５３（３６３）に設けられた六角レンチを差し込むための穴（操作部）の周囲に付される。
【００４５】
また、このオフセット印刷機１では、ウォームギア３５３（３６３）の回転量が規定量となったことを知らせる報知機構が設けられることが好ましい（図示省略）。これにより、ウォームギア３５３（３６３）の回転量が容易に把握されるので、ニップ幅の調整作業が容易化される利点がある。この報知機構の一例としては、例えば、ウォームギア３５３（３６３）の頭部の外周面に所定間隔（例えば、９０［ｄｅｇ］毎）にて形成される複数の溝と、この外周面に当接するプランジャーとにより構成される（図示省略）。かかる構成では、ウォームギア３５３（３６３）が回転してプランジャーが溝に嵌ると、押圧状態が変わることによる操作感（手応え）がプランジャーを通じて操作者に伝わるため、これによりウォームギア３５３（３６３）が所定の角度回転したことを操作者が感覚で知ることができる。
【００４６】
また、このオフセット印刷機１では、偏心輪３５１（３６１）が、ウォームギア３５３（３６３）に噛み合わされるギア溝３５３１と、レバー３５２（３６２）に対する摺動面３５３２とを略同一面上に有する構成としても良い（図６および図８参照）。すなわち、偏心輪３５１（３６１）のギア溝３５３１と、偏心輪３５１（３６１）およびレバー３５２（３６２）間の摺動面３５３２とが略同一面上に配置される。かかる構成では、ウォームギア３５３（３６３）の回転と偏心輪３５１（３６１）の回転との伝達性が向上するので、ニップ幅の調整精度が向上する利点がある。例えば、この実施例では、ウォームギア３５３（３６３）とレバー３５２（３６２）とが偏心輪３５１（３６１）の外周面上に直列に配置される。また、偏心輪３５１（３６１）の外周面の中央部にギア溝３５３１が形成され、両縁部にレバー３５２（３６２）との摺動面が配置される。かかる構成により、ウォームギア３５３（３６３）とレバー３５２（３６２）との位置規制が容易化されている。
【産業上の利用可能性】
【００４７】
以上のように、本発明にかかるオフセット印刷機は、ニップ幅の調整作業を容易化できる点で有用である。
【図面の簡単な説明】
【００４８】
【図１】この発明の実施例にかかるオフセット印刷機を示す構成図である。
【図２】図１に記載したオフセット印刷機の印刷部を示す模式図である。
【図３】図２に記載した印刷部の軸受連結部を示す正面図である。
【図４】図２に記載した印刷部の軸受連結部を示す側面図である。
【図５】図２に記載した印刷部の軸受連結部を示す背面図である。
【図６】図２に記載した印刷部の軸受連結部を示すＡ−Ａ視断面図である。
【図７】図２に記載した軸受連結部の偏心輪とウォームギアとの位置関係を示す説明図である。
【図８】図２に記載した軸受連結部の偏心輪とウォームギアとの位置関係を示す説明図である。
【図９】図２に記載した印刷部の軸受連結部を示す斜視図である。
【図１０】図２に記載した印刷部の軸受連結部を示す斜視図である。
【図１１】図２に記載した印刷部の軸受連結部を示す斜視図である。
【符号の説明】
【００４９】
１  オフセット印刷機
２  給紙部
３  印刷部
３０  中間胴
３１  インキ供給部
３１１  インキ壺
３１２  中間インキローラ群
３１３  インキ往復ローラ
３１４  インキ着ローラ
３１５  インキ着ローラの軸受
３１６  軸止め輪
３２  版胴
３３  ブランケット胴
３４  圧胴
３５、３６  ニップ調整部
３７  軸受連結部
３５１、３６１  偏心輪
３５２、３６２  レバー
３５３、３６３  ウォームギア
３５３１  ギア溝
３５３２  摺動面
３５５、３６５  止めネジ
４  排紙部
【図１】
2007268769.tif 000003
【図２】
2007268769.tif 000004
【図３】
2007268769.tif 000005
【図４】
2007268769.tif 000006
【図５】
2007268769.tif 000007
【図６】
2007268769.tif 000008
【図７】
2007268769.tif 000009
【図８】
2007268769.tif 000010
【図９】
2007268769.tif 000011
【図１０】
2007268769.tif 000012
【図１１】
2007268769.tif 000013